【手続補正書】
【提出日】平成23年4月21日(2011.4.21)
【手続補正１】
【補正対象書類名】明細書
【補正対象項目名】０００３
【補正方法】変更
【補正の内容】
【０００３】しかしながら、癌の放射線治療は副作用としての周辺の正常細胞への照射がさけられず酸化によりさらに酸化物や過酸化脂質を造り癌細胞の増殖を誘発する毒的性質を持っている欠点が有る。
他の応用例として、免疫抑制治療にも放射線が用いられている。臓器移植などで移植された他人のリンパ球が患者の臓器を攻撃する移植片対宿主病や患者のリンパ球が移植された他人の臓器を攻撃する拒否反応の予防などに使用されている。
リンパ球はほかの血液分に比べ放射線に弱いため照射によりリンパ球の免疫をなくすことができる。これを利用して上記ＧＶＨＤを予防のために血液照射が、また拒絶反応を予防のために腎照射と全身照射が行われている。全身照射は免疫抑制治療の中では副作用が大きいこれらは放射線そのものの酸化性質を象徴する素質であってこれも癌治療への利用と同様に「毒は毒をもって消去する」の考え方であります。Ｘ線投影により３％におよぶ癌の発生が確認されているのも事実であります。
これら酸化による欠点の症例としては紫外線による皮膚炎症・火傷や原爆の核分裂による放射能火傷がおもいあたる。
また付属の性格としてＭＡＸＷＥＬＬ（マクスウエル）の電磁気学によれば磁場と電場が対に成って電磁波として飛び交う性格は両者のエネルギーのどちらかのかたちで一定照射エネルギーとして平衡状態を保ちながら生存する。電子回路を制御させている使い方がその比率を電子に偏らせ、すなわち放射線エネルギーを電子に変換する工業的利用がＩＴ産業に多大な利益・利用価値を与えつつあるといえる。太陽光を吸収し発電する太陽電池は電卓の電源としてよく知られる。またこれらには、シリコン系と化合物半導体系がある。この物理電池としては、このほか、熱電変換型・キャパシターがあり、前者は熱電発電・原子力電池に分かれる。、これに対し今までの電池は、すべて活物質の化学反応による電子の移動を利用し電流を発生させ電気を得る化学電池であった。
この中に分類できない生物電池は生物のエネルギー生産の原理を応用したもので植物・動物など代謝システムの原理を電池に応用したもので砂糖電池・微生物電池などがある。
ここに人間の代謝システムと電気・電池との密接な関係が見出せる。つまり、人間の代謝による活動電位により人間は生命活動できるのです。
元に戻るが家庭電化製品の漏れ出る電気から出される電磁波が放射線を含み有害視されています。一般家庭電源コンセントは、１００Ｖ  ５０・６０ＨＺの超低周波であります。また、テレビのブラウン管から出ている強力な電磁波は、実際テレビを手動で作動させるとき顔や頭などに電磁波を感じることがあった事を思い出す人も多い。その他電子レンジからも使用中のマイクロ波漏れがある。また、伝送配線から電磁波についての低周波被爆に付いても様々に毒性が疑われているが実験によれば、確証は認められなかった。その他で、特に癌発生の件について周波数の高い波長の短い放射線に発症性が高いと言うことで放射線の有害性が概念化されている。
アインシュタイン氏の光量子・光電効果について紫外線による日焼けとストーブの光の赤外線によっても日焼けが起きない事例を振動数とプランク定数の積からエネルギーが振動数が紫外線のほうが大きいので肌の分子の化学的変化を引き起こすとした。光電効果についてはドイツの物理学者レナードの詳細な研究によって成され、ある種の金属に振動数の大きな光（例えば青い光）を当てると、電子が飛び出す現象である事を説明した。
このことが電磁波の一定エネルギー量を電子として消費し微弱なエネルギーで長時間利用する。このとき未使用時は、磁場と電場の形で保存し相手機械からのシグナルにより変換して使う使い方を具体化してみせた。これにかんしデンマークのエルステットは、電流が磁石とおなじように磁気作用を持つことを見つけ、（電気から磁気を生み出したり磁気から電気を生み出したり出来るのを発見し）ＭＡＸＷＥＬＬはこの考えを更に拡張し、電荷の回りにある電場が変化すると磁場が発生し、その磁場が変化して新しい電場を生むことを予測した。また、こうした電場と磁場の変化は、次々と生まれそれが波のように空間を伝わっていくとして、マクスウェルはこれを「電磁波」と名付けけた。
フランスのアンペールやイギリスのファラデーが電気と磁気の関係を詳しく研究して電磁気学の基礎をつくった。これは、１７８５年以降でしたが、それいぜんに、遡ると１７４７年アメリカフランクリンは、「電気には、正と負があり通常は、物質は正負両方を等しく持つ事・正と負の電荷は、どんなふうに影響しあうかという研究が進み１７８５年フランスのクーロンが同電荷の反発と異電荷が引っ張り合う。そして「二つの電荷の間に働く力は、二つの電荷の電気量の大きさの積に比例し、電荷間の距離の２乗に反比例する。」というクーロンの法則を発見した。このように、発見と実験の歴史があった。
入  この証明すべき計算の方程式の流れは、次のような形であった
われわれは、その一部の電気の発生を人体に応用する正しい解釈についてすでに研究された事実をかみしながら定義をもとめるのであるが人体について電気的実験結果は次の結果が大事であり方程式も多々あるのでそれらにもとずく展開といえるが紹介する
長年電荷としての電子の体内中での働きに注目してきたが水が電気分解されて作られたマイナスイオンと言われる成分が森の滝が岩壁に沿って落ち砕ける霧の拡散物で人の体に癒しを与えることをドイツの学者レイナードが発見したがそのマイナスイオンの技術的効果が様々に語られたがアルカリが良い効果を示すからだとして鉱泉水をアルカリイオン水と称呼しマイナスイオンが含まれる水として脚光を集めている。
一方、電気分解作用を工業的に行なえる機械装置としては、電極電位での還元性の高い水が医薬水として水で症病を治療するなども出てきた。これは還元電位値が負荷を大きく示す水（励起水）が傷病部位の体内負荷を正常許容値の方向に、プラスから正常なマイナス方向にするものであった。
人に直接電位を椅子やシートを介して負荷を高電圧で接蝕印加するものも有る。高周波の部類のマイクロ波・超音波・超短波などの直接施術も多い。
これらが、ある意味での健康効果があるとの報告が多々なされている。
これら原理の水の電気分解ではＨ２水素の量を計測して還元の度合いを負値で知る測定方法である。
これにより確かに水のｐｈ〜もアルカリに変化する。我々は、この技術的流れを確認してきたがいまだにその本当の原理と納得のできる説明を聞いたことが無い。そこで、それらを踏まえて、原理を考えてみた。
レイナードの現象が流れ落ちる水の刺激でその岩からの発せられるとび出るエネルギーの電気が水に飛ぶことにより起こる。また、工業的には交流電源や直流電源による電極によるもので電気を通電させるものや何かの物質とともに通電するものなどで水を電気分解するが、健康器機などでは電子医療として様々の電子作用のものが簡単な説明で詳細な原理のわからないものや赤外線やその他の電磁波〔低周波から高周波応用まで〕の応用品も同様の説明で多々ある。人体と水の関係が有る意味で分けて考えることも必要かもしれないが水がほぼ７０％を占める人体やその他生物にとってもその成分共通項としての水が技術的共通項であってもおかしくないと判断して考慮してこの電気・電磁波・電子等についてその係りや違いについて注目して分析してみるべき従来技術であるとしてそこから原理に迫ることとした。
電気と電子については、一般に導線などの物体中を電子が走り送られて調整された電気が目的地に配電されているのが現実で実生活場で誰でも知っている。電子が送られて、そのまとまった電子を電気として認識し利用していて、調整するときもある。たとえば、繊維を高速で巻き取るなどの過程で高速回転の力が必要な場合、高周波変換装置で周波数を高めパワーアップして繊維の製品が向上させた歴史があった。このことは、電磁のモーターのコイルの導線巻き数を多くしそのモーター回転力をパワーアップさせたことも子供の頃の実験であった。つまり電気量をためて量を大きくすると電子がまとまった粒の大きさになって流れていくため密度が高いので単位時間の仕事量も高いと言うことであった。ショートさせると目にみえる火線が飛ぶのを目の当たりにできる。電子の大きさが極めて小さいことからそのまとまりの大きさは電子合体数が数えられるレベルでない、（総計の量を粒のまとまりとしてみても）
電流と磁場に関しては、フレミングの法則があるのに従っているわけである。電磁力モーターのコイルの巻き数を増したことで磁力を増した分の力を出したのである。つまり、磁場が外に出たので永久磁石との反発が強まった。（磁力線が巻き線方向と違う方向に法則にしたがって外に形成された。）磁力線が電子と一緒に存在することを示している。
入３  このことが、電子想像絵図の電子の構造・構成の基本の一部が知られるのである。さらに基本の放射線が基本として次のようにサハ氏の「核医学」に述べられている「放射線とは空間を伝わる一種の運動エネルギーの形をいう。それは１つの物体から放射され他の物体に吸収される。また、放射線には次の２種類がある。１．微粒子による放射線；これらは、電子、陽子、中性子、α粒子等をいう。２．電磁波としての放射線」にわけて述べられている。２．は波としての性格について述べたものである。
ここで、肝心なことは、１．にしめすように電子が放射線として分類されていることです。これは、一般に電気も電子も放射線が大きいエネルギー
であることを意味しているのです。これに対して本論の定義に一般のこれらと異なる電子        が示され主役として論じられ、新エネルギーとしての説明が
されている概略主旨の根幹をなす。この電子の生存の事実と発生の自然現象について以下        にしめす。電子想像絵図にもその違いが明確に示される。
とにかく  電気レベルの持つ放射線が電子の放射線の集合体である事実から当然大きな放        射線をもつ論理が放射線専門家の一般論である。
〔  「核医学」  Ｇ．Ｂ．Ｓａｈａ著    初版１９９３年  改定２００２年２版  牧野元        治翻訳  ２００２年〕
ただ、その他の性質が不明とされる面で定義したと言い切れない。
電磁波は、マックスウエルによりＸ線や紫外線において確認されたが、放射線を含むことが確認されていた。逆に電子について語られていず、電磁波の構成からはずされて論議があいまいになっていて、いろんな放射線の実験においてふいに残物質として残されたとの結果が残されている。電子とこれを分けた存在としての考えですすめられてきた面が一部にみられることもある。
それについては、新しい定義として、認識すべき性質があるからである。それは、次の事像
＊セーターをぬぐときにパチパチ音の音と刺激
＊ノブ（車などの）をさわるとき強い刺激がいたいほど与える。
＊雷が光と音をともなって大きな雷光爆発としてふりそそぐ。
電磁波が電子を必ずそのエネルギー内に構成されることが定義されていなかったことを証明するものである。  電気は、上述の説明のように電子がまとまった電磁波であるといえるので、電子も放射線も持って存在することになる。ただし、全て空気中においての存在が見えないが大きくなると電子はまとまって大塊となると光子が見える事もある。これに関しては、最近の著書に紹介する電界と磁界の（ニュートン誌  ２００９年１月号波動Ｐ）も参考となる。したがって、本件の電磁波の定義の確定を知れば以下ならびに本件改善点の基木の説明が理解し易くなる。
電子が人間の体内にたいして還元力を発揮し、活性酸素（病気の根源として様々に報告されている）を除去することも最近報告されているが、これの除去の原理がマイナスイオンの原理や還元電位の山の水の関係に共通する原理が確立されていない。
放射線については、放射線生物学において水に与えた場合の論理があるが電子が放射線を含むことには論及されていない面もあり電気分解されてスパーと活性酸素（Ｈ２Ｏ２・ＯＨ−など）を造る結果がしめされている。また、水和電子の発生についての記載があるので資
2008168123.tif 000001
人間について与えた放射線について、さまざまな危険性や毒性も述べられている。
この励起された水について  ：    さきのスパーの発見のこの時代放射線とよばれＸ線・ガンマ線等の電離放射線のことである（今でも一般に使われるときは、同じ概念だが）。これらの加速された放射線の高周波は、ある種の密度の高い金属等を除いて一般の物を透過し易いといわれるが、これが当ると付属の電子は透過出来ないと言われることがある。「紙も通過できない。」といわれる。前述の原理・後述の電子の性質から考えると、紫外線より高周波を電離放射線と呼ぶが電子が物を透過出来ないレベルでも透過直進するのであると理解できる。これが非電離放射線の紫外線より低周波の各放射線ではおこらない。励起水に入った電子は、したがって高周波の電子の放射線であるであるから大きすぎ、残ったものの付属する放射線の比が線量とともに大きいことになるので酸化性がきわめて高いといえる。そのように生命にとって怖い存在の電子として存在すると言える。また、加速された電子について放射線生物学では、原子核に向かいぶつかってガンマ線が放出され電子外に向かうときはＸ線や紫外線を放出するとされているのです。蛍光Ｘ線原子分析器の原理は、Ｘ線の電子を原子のＫ殻にぶつけ飛ばすときに測定原子の特定の周波数のＸ線が外に発生するので測定原子が何かを特定できる仕組みである。このとき、Ｌ殻の電子がＫ殻の空に入るとき余剰のエネルギーをＸとして放出したためである。ちなみに注意する点が多々ある。殻によって電子一個のエネルギーの差があることや空の殻に外の殻の電子が引っ張られて飛び込むことなどである。この現象が後のイオンチャネルや、加速したで電子での通路内素材原子への衝突による電離放射線の電磁波発生の原理に関係している。後者では、イオンの発生とその毒性の原理関係がやはり放射線の毒性であったことに言及できる。（万が一偶然に鉱物の粉末等に微量の放射性物質混入などにより放射線を意図せず無意識のまま発生しても、意図的に最小の塊のアルカリ電子とともに大きな塊のアルカリ電子を本発明の機器で造るために電離放射線を造り応用しても放射線毒を除去できる。）
（参考      分析化学の基本と仕組み  株）秀和システム  著  津村  ゆかり２００９年４月５日  蛍光Ｘ線分析等）
このように水の励起のもとが結合を切った電子分解水素陽イオンの空の電子殻に入り易い条件により水素原子が電子励起されたと言え水素が善玉と悪玉に別れてくる。後にさらに論じることとする。このように基本的技術の中にある疑問点が浮かび上がってくる。一部後述とダブル結論もいま述べてしまったが技術的ポイントの現在標準についての説明とする．従来技術のこれらで自然現象から更なる確証の認識・発見を見出せる。
いままでマイナスの電気が測定できるので励起のもとが結合を切った水酸基の方のマイナスイオンとしか理解されていないのである。また、これが様々に人の体内に良い影響をもたらすとされる意見も一部にある。これに対し医療の生理学においては、これが活性酸素で遺伝子を傷つける最大の問題の物質との解釈がなされている。元に戻って水素の方は、切れると陽イオンとして存在するはずだからである。
ここで、水素陽イオンについて理解すると、ボーア氏の原子構造モデルにおいては、中央の原子核だけで電子のＫ殻起動に（一番近い位置の軌道）電子を一個も持たず最大存在基底の２個に対し０個で空である。（後にさらに言及する。以下の説明の自然現象で電子が滝の岩からでる状態を説明可能になる。）
このことは、一般に明確なマイナスイオンの解釈が現在も説明できていない事を電子の量子的解釈の切り口で考えることで新規解釈が成立できる。
戻って、滝の周囲に発生するマイナスイオンと言われる健康に良いアルカリ性の力と言われるものが発生する原理考えると、前述のまとまった電子が電気とし存在しないで山の鉱物素材の表面で電気分解のもととなる素材間電子モーメントが異なる種のベータ電子を水の電子摩擦による刺激で発生する。従来技術を探ると絶壁の壁の岩を水がその重力を伴って落下するときにそのベータ電子が刺激で水に飛び出すその電子が原型に近い小さな最小の一個の電子とし、原子同士の素材電子の磁束と共にある回転等や振動のもたらす渦電子の電位差で造られるのである。これは、モーターの原理に戻ると丁度力でモーターの軸を回すときに豆電球が着灯でき電気を生んでいることがわかるが外周の磁石に力で回すコイルの残磁力がこすられ電子を磁束と共に発生したためであり、磁石の鉄成分の強磁性物質の素材等が基といえる。この磁性は、素材の磁化率等により各固有値を持つことが知られるが多かれ少なかれほとんど磁性物質として分類され物質に磁性が存在すると言われる。
（参考著  磁気と材料  岡本祥一  １９８８年１１月  共立出版  磁気モーメント  磁性物質  磁化率  磁束密度等        ）
したがって、岩の素材成分の電子の磁束モーメント・磁気モーメントと雷発生の原理と同じ水の極性の摩擦で発生する渦電流の大きな刺激が、岩の素材成分電子の渦回転を強め物質内から飛び出るのである。単独でも混合物素材同士間の電子にも作用し飛び出させるのである。
そして、出た電子がもちろん加速されていないため加速した高エネルギーよりは小さい物質透過の性質から通過し易い透過の道を選びながら、こんどは、静止電力の以下の説明の自動車のノブ部に電子が集まる性質で岩表面に出るときには電子のまとまりを最低数個程度のレベルになるわけで、それが飛ぶことになる。そして、滝の水の結合の手を切り、水素陽イオンのＫ殼に引っ張られるように飛び込むので水素が活性水素となり癒しの還元力を示すわけである。
いままでの説明では、マイナスイオンの存在の負荷が何かはっきりしなかったが、素材の内部の力と、
ひとつは、壁に水がしみこむと泥と石の表面が流動電位に働くこと、コロイドに働く泳動電位の現象で岩や泥粒が動かないが電極を引き付ける作用となり働くことが起こり、光が壁に当たるときに光電効果（アインシュタイン氏とレナード氏の原理）起こり滝水やしぶきの外側の正電荷に電子（後に述べる定義の）がとびこむことになる。
〔  ここまでわかってきた素粒子の世界  京極一樹  株〕技術評論社  初平成２０年１０月２５日      、人と体の電気とその応用    著  後藤昌義  ｐ７１−９１界面運動電位等流動電位  泳動電位  酸化還元電位  損傷電位  等          〕
このように、水素に入るときみずの酸素との手も切れることになる。この活性水素こそが以下の改善のポイントで本件の発明の定義の基となるものである。
要点をまとめると自然の原理以下のように電子の造る電気が説明されている。
落雷については、
自動車のノブについては、
人がセーターを脱ぐときのぱちぱち電気は、
結局、電子が合体し大きくなって電気に変わった現象で、電子が大きくなり易く、くっつきやすいという性格を持っている。その他にも多々性質が存在し、その原理がポイントだろう。
そのほか、電磁波に関する性格の象徴的現象が次の技術に含まれるので紹介する。
超伝導技術が今や実用化されている。その中に極度の冷却温度を与えると磁場が外に追い出される現象がある。それで永久電流という飛ばない電気ができる。
この事は、磁力線が殆んど放射線の飛力を生む基であることを象徴している。が同時に永久電流もいつまでもそのままで増えることが無いので電場が磁場なしには生まれず、一定の周波数のもつ基底の電子と放射線のバランスが崩れ電磁波でなくなったといえ、これも磁力線が生んだものと考える事もできないわけではない。この合体した電子である電気の一つの機構があり、その構成要素としての電磁波電子の性格であると考えられる。
つまりさらに磁場でこの極低温以外では、電場を生み電子が生まれると考えられる。放射線が伴う比力の飛力として付属するのは当然である。
したがって先端の穴カバーのない図２３に示した電子の最小の負荷と別の数個の電子が合体して飛んでいる放射の状態を示しているのであるが、電子は固まり自身の放射線が電子本体の純電子と発生源の電磁波が持つ周波数の特定比によりバランスされるしたがってこの図内の正電荷エネルギーは別のグループとしての存在というべきで陰極線にともにまれに発生する陽電子をしめすもので陽イオンではない。本発明の機器においては素材そのもの／あるいは極低周波による刺激で極力抑えているので放射線の測定をしても発生は認められない。ひとつの電子のまとまりの性質の一例といえる。この図の先広がりの出口が電子の方向を先端素材の形に添って拡散状態に大塊にしにくくするが、それでも数個程度のまとまりが多いことは、よういに容易に考えられるといえる。
本発明のエネルギーは、すでに誰もが利用している重要な酸化性と逆のエネルギーです。特に健康に関しては、麦で作ったビールが古くなり麦の猛毒カビ菌が発生すると土を混ぜてその菌を分解して安全にしてバイキングは飲んでいたし、北中央アメリカ・西海岸地域でサソリに刺されるとその猛毒の解毒方法として、土を水に混ぜ泥を練って薬草と共に幹部に塗って一命を救っていた。これらの土の力が土の素材の鉱物と金属以外の酸化物系アルカリ系両性系元素などらしい、特別な土と思われるが共通項は土であった。
一方、陶芸においても粘土の粘性を出すとき水を混ぜてしばらく寝せて練り直す方法で粒の肌理を細かく粘りが出ると成型物が容易になり、そのまま放置したとき水が抜けて一体に石の成型物に変わる。土が一部解かされ別の結晶を造って一体につながったことがわかる。
この力が、住宅に使うセメントが水と土砂と共に練って粘性の高い泥にし成型し、水が乾燥し固まると圧縮強度５００ｋｇ以上のコンクリートに変えることは、周知のエネルギーで、アルカリ性がもたらされ老旧化に耐えることも周知である。この時のセメントと土砂が混ざったものに素材間の電子が水に対して化学反応して大きなアルカリ環境が生まれて残るのである。（このとき、水の分子の双極子モーメントが大な分子で両端の水素の陽極性が強いのであるが水素のＫ殻電子軌道に空が大きく、他に電子もないので反発もなくきわめて素材電子が飛び込みやすく、引き付けられ電子が飛び込むと水結合が切れ分解する。水素以外にアルカリ環境を作れるものがないので飛び込む電子が数個であること以外に考えられない。電子がＫ殻に基底の２個より１〜２個多く、）アルカリ力が発生ると、酸化力で土を溶解するとすれば、１０００度以上の熱エネルギーを必要とするが、冷たいまま溶解して別の組成物を造り固めるので、夢のアルカリ力と言える自然現象である。
また、土の健康のエネルギーも同様の原理で、アルカリの力がその猛毒のカビ菌やサソリの持つ猛毒物を分解させると考えられ、菌やアミノ酸の科学に新規の成果が見込めるものである。（ビールの腐敗防止に土を入れたバイキングの話や、サソリ毒の消去に土を草に混ぜて使う。）
先述の電子のまとまる性格の従来自然現象と合わせての理解による従来技術の理解を深める必要があり、貴重な発見による原理を提供していることを示しているのであって、以下定義される基本の一部をなす。
これらのことが以下に示される実験の結果により課題の解決のため、確認と確証の従来技術として合わせて理解のもととなるものであるといえる。
本件「要約」に関して基本として主に人体に対する撰択図の従来技術を経過して新エネルギーとしての本件説明の流れである。
対人間の照射（図１６  例）足に対してであるが各部所に器具（図１  例）で照射する施術がその他図にもある。
７０ｋｇの人間の体中の原素量を図２４に示すとともに図３２に体中の酸素の変化と消費（去）変化の様子を電子構造によって示して比較検討する。又図３３において人体中の酵素と欠乏障害がそれらに大きな影響力を及ぼし、図３２の活性酸素の発生を残す結果症病に致る。これは従来技術の大きな流れである事がすでに示されている。
この前提において新エネルギーを提義する内容が以下に記載されていると言える。
ミトコンドリアにおいてＡＴＰ生産における様々な酵素の活役によってエネルギーに変換されるがそこに受渡される電子と発生する原理が体中の活性酸素の生産時発生量と吸収される電子での消去の結果が残量として障害発生に大きな関係を示す事が言われている。図２３にある本件アルカリ性電子の発生が術来のエネルギーと異なり未発見の別のエネルギーと異なるものであり、新規性進歩性を満すとともに細胞内だけでない膜やその他に全体的にも血奨液中のミクロな免疫の世界に対しても特に大きな影響力が示される事が想像されるのであった。
今現在のエネルギーが石油化学材料だけでない燃料素材や力を元に変換し電気的エネルギーに変換するなど多々あるが、主に電気や電磁波に関するものである。そこで、これらに注目する以下の考えに到達したものである。
素粒子物理学の流れをまとめ絵図に記載する。以下に示す説明を含め次世代に本件が全て標準理論に並んだ世界として関与することがわかる。
物質のエネルーに作用する件に関する素粒子の世界の電弱理論では、物質の最小単位としてのクオークとレプトンの２つの基本粒子が存在するとされるが、粒子に働く力の伝達は４つが存在するとしているが実際は光子のみである。他の３つは短距離の力を伝えその作用は、１０−１７ｍで陽子の半径の１％にも満たないとされている。また、中の１つで物質のＷ粒子の電荷も正負が相殺できニュートリノは微量発生したとしても質量もない為無視できる。したがって光子と電子が素粒子として物質中に存在する。
ボゾン粒子の同種粒子の集団が持つ性質としてのスピンが整数で１つの状態に任意個の粒子が入れる。理論的に認められている。（ボーズ統計）実在の自然現象でない
分子間力については距離の大きいときに働く弱い力をファンデルワールス力と呼び多くの場合においてこの力のポテンシャルの主要部分は、分子間距離Ｒの６乗に反比例する．分子はいくつかの原子核と電子とから成り立っているがこれらはきわめて小さな点のようなものであり、その間はすき間だらけである。それでもある程度近ずくが一体にならない斥力も働く  参考資料−「分子間力と表面力」２１３ｐ著  Ｊ、Ｎ、イスラエルアチビィリ  １９９６年  朝倉書店
独立原子では、その中の電子をどのような軌道に入れるかに応じてとびとびの許されるエネルギー準位がきまった。これを満たすようにたとえば水素イオンにもいえる、水素原子のイオンの１つの電子と空に接近する、発生β電子・電子のスピンが一重項状態（スピン逆平行）にある場合と三重項状態（スピン平行）の電子が近ずく、（（つまり上向スピンと下向スピンが近付き分子間力のように一つに合体はしなくても塊をつくる、水素原子の陽イオンに空間が大きく入り易いのである  近ずいた２個を１つとしてさらに集合することもある。又３個の塊もありえる、（２つになることから）
この電子の性格の他以下に述べる事があり、電子を放射線としないアルカリ性電子の発見がその手段に関係するのである。定義として後に説明される事である。））
−参考：高柳和夫著「電子・原子・分子の衝突」培風館  １９９６改訂版
様々に素材力はその素材の持つ性質によりスピンの力に影響を与える。
スピン角運動量やスピン磁気モーメント、パウリ原理と多電子  原子の電子状態、スピン間に働く交換相互作用  スピン密度波、常磁性と強磁性とスピンの関係  シュレデインガーの波動方程式と量子状態などそれらに対する物理的量子論について計算がなされているが現実にそれが何か認識できる事証に結びつく説明や現象にはなっていない。
又、ボースーアインシュタイン統計の考え方についても自然事像の説明の事像原理は示されていない。
素材間に引き合う力の中で金属やその酸化物の微粉末やその他石に含まれる成分などの微粉末の複合物（生物の殻である。エビ・カニ・貝殻魚こうら、骨などとその石化物等であったり特に表面に細孔を有する物）の間において、金属表面に光電効果での電子が発生することでその細孔を持つ還元剤が穴の中に入り込んだ分子間電子、光電子を還元するのですが、（反応で）還元力が発生していると思われている。旧来、炭、大谷石の成分や酸化珪素や開発されたポーラスシリカの孔細機能剤料の工業的有効な還元触媒が同様の目的で造られている。これらも分子間力とも言える。
物質環境科学  ２００９年３月２０日  第１版印刷  濱田嘉昭・秋鹿研一著
（１９８ｐ〜２１３ｐ等）